(57)【要約】【課題】回転操作装置においてコストを抑え、かつ誤検知の発生を防止して良好な操作性が得られるようにする。【解決手段】回転操作部材３５１の周面には第１の反射率を有する第１の領域と第１の反射率よりも反射率が低い第２の反射率を有する第２の領域とが交互に形成されたシート３５２が配置されている。検知部３２１および３２２はシートと対向する位置に配置され、回転操作部材の回転操作に応じてシートから受光する反射光に応じて回転操作部材の回転を検知する。シートには、周方向の一端に第２の領域の第１の端部が規定されるとともに、他端に第１の領域の第２の端部が規定され、シートは第２の端部が第１の端部の上に重なるようにして回転操作部材の周面に配置される。【選択図】図８
2020113402.tif 000002
【特許請求の範囲】
【請求項１】
回転操作部材の回転操作に応じた設定値を設定する際に用いられる回転操作装置であって、
前記回転操作部材の周面に配置され第１の反射率を有する第１の領域と前記第１の反射率よりも反射率が低い第２の反射率を有する第２の領域とが周方向に沿って交互に形成された反射部材と、
前記反射部材と対向する位置に配置され、前記回転操作部材の回転操作に応じて前記反射部材から受光する反射光に応じて前記回転操作部材の回転を検知する検知手段と、を備え、
前記反射部材には、周方向の一端に前記第２の領域の第１の端部が規定されるとともに、他端に前記第１の領域の第２の端部が規定されており、
前記反射部材は前記第２の端部が前記第１の端部の上に重なるようにして前記回転操作部材の周面に配置されていることを特徴とする回転操作装置。
【請求項２】
前記回転操作部材には、前記回転操作部材を回転操作した際にクリック感を与えるためのクリック感発生部が備えられていることを特徴とする請求項１に記載の回転操作装置。
【請求項３】
前記回転操作部材には、周方向に沿って所定の間隔で複数の凹部が形成されており、
前記クリック感発生部は、前記周面に当接する当接部と、前記当接部を径方向に付勢する付勢部と、を有することを特徴とする請求項２に記載の回転操作装置。
【請求項４】
前記当接部は球形状部材であり、
前記回転操作部材を回転操作した際に、前記球形状部材と前記凹部とが係合する状態と係合しない状態とが繰り返して前記クリック感を与えることを特徴とする請求項３に記載の回転操作装置。
【請求項５】
前記回転操作部材の周面には、前記第１の端部が固定される箇所に前記反射部材の厚さ分に相当する凹形状部が形成されていることを特徴とする請求項１乃至請求項４のいずれか１項に記載の回転操作装置。
【請求項６】
前記回転操作部材の周面には係止部が形成され、前記反射部材には係合部が形成されており、前記係止部に前記係合部が係合されて前記反射部材が前記回転操作部材の周面に保持されていることを特徴とする請求項１乃至５のいずれか１項に記載の回転操作装置。
【請求項７】
前記係止部は前記回転操作部材の回転軸方向に凹の凹形状部であり、前記係合部は前記回転操作部材の回転軸方向に凸の凸形状部であることを特徴とする請求項６に記載の回転操作装置。
【請求項８】
前記回転操作部材の周面には前記第１の端部が配置される箇所に径方向に凹の凹部が形成されていることを特徴とする請求項１乃至７のいずれか１項に記載の回転操作装置。
【請求項９】
前記凹部の深さは前記反射部材の厚さに等しいことを特徴とする請求項８に記載の回転操作装置。
【請求項１０】
前記凹部の内壁はテーパ状に形成されていることを特徴とする請求項８又は９に記載の回転操作装置。
【請求項１１】
前記反射部材は弾性変形可能であって、前記反射部材の径は前記回転操作部材の径よりも大きく、
前記回転操作部材には、前記回転操作部材の回転軸方向において前記回転操作部材の周面を規定し径方向に凸の第１の凸形状体および第２の凸形状体が形成されており、
前記第１の凸形状体および第２の凸形状体に間に前記反射部材が配置されていることを特徴とする請求項１乃至１０のいずれか１項に記載の回転操作装置。
【請求項１２】
前記第１の凸形状体は前記周面に沿って形成され、前記第２の凸形状体は前記周面に沿って所定の間隔で形成されていることを特徴とする請求項１１に記載の回転操作装置。
【請求項１３】
前記反射部材は前記第２の凸形状体で規定される前記回転操作部材の径よりもその径が小さくされて前記周面に配置された後、弾性変形が解除されることを特徴とする請求項１２に記載の回転操作装置。
【請求項１４】
前記検知手段は、前記反射部材に光を投光する発光部と、前記反射部材で反射した反射光を受光する受光部と、を有することを特徴とする１乃至１３のいずれか１項に記載の回転操作装置。
【請求項１５】
請求項１乃至１４のいずれか１項に記載の回転操作装置と、
前記検知手段による検知結果に応じて前記設定値を設定する制御手段と、
を有することを特徴とする電子機器。
【発明の詳細な説明】
【技術分野】
【０００１】
本発明は、回転操作装置および電子機器に関し、特に、回転操作装置を備える電子機器に関する。
【背景技術】
【０００２】
一般に、デジタルカメラなどの電子機器においては、種々の設定値を設定するため所謂回転操作装置が備えられており、この回転操作装置にはダイヤル部などの回転操作部材を備え、当該回転操作部材が電子機器の筺体に回転可能に保持されている。
【０００３】
例えば、このような回転操作装置として所謂フォトリフレクタを備えるものが知られている（特許文献１）。この回転操作装置では、フォトリフレクタの発光部から投光された光を回転操作部材に照射して、当該回転操作部材で反射した光を受光部で受光することができるか否かに応じて回転操作部材の回転操作を検知するようにしている。
【先行技術文献】
【特許文献】
【０００４】
【特許文献１】特開２０１７−５８３９８号公報
【発明の概要】
【発明が解決しようとする課題】
【０００５】
ところが、上述の特許文献１に記載の回転操作装置においては、回転操作部材の円周面に固定されたシート部材と当該円周面における表面処理面とによって、光の反射面および非反射面を形成するようにしている。このため、回転操作部材を表面処理する必要がある。そして、回転検知を正常に行うため表面処理面の反射率をシート部材の反射面における反射率と同等となるように調整することが必要となって、コストアップとなってしまう。
【０００６】
そこで、本発明の目的は、コストを抑え、かつ誤検知の発生を防止して良好な操作性を得ることのできる回転操作装置および電子機器を提供することにある。
【課題を解決するための手段】
【０００７】
上記の目的を達成するため、本発明による回転操作装置は、回転操作部材の回転操作に応じた設定値を設定する際に用いられる回転操作装置であって、前記回転操作部材の周面に配置され第１の反射率を有する第１の領域と前記第１の反射率よりも反射率が低い第２の反射率を有する第２の領域とが周方向に沿って交互に形成された反射部材と、前記反射部材と対向する位置に配置され、前記回転操作部材の回転操作に応じて前記反射部材から受光する反射光に応じて前記回転操作部材の回転を検知する検知手段と、を備え、前記反射部材には、周方向の一端に前記第２の領域の第１の端部が規定されるとともに、他端に前記第１の領域の第２の端部が規定されており、前記反射部材は前記第２の端部が前記第１の端部の上に重なるようにして前記回転操作部材の周面に配置されていることを特徴とする。
【発明の効果】
【０００８】
本発明によれば、コストを抑え、かつ誤検知の発生を防止して良好な操作性を得ることができる。
【図面の簡単な説明】
【０００９】
【図１】本発明の第１の実施形態による回転操作装置が用いられる電子機器の外観を示す斜視図である。
【図２】図１に示すカメラを分解して示す斜視図である。
【図３】図２に示すフロントカバーユニットおよび回転操作部材ユニットを説明するための斜視図である。
【図４】図３に示す回転操作部材ユニットを示す斜視図である。
【図５】図３に示す回転操作部材ユニットを回転操作した際にクリック感を発生させるクリック機構を説明するための図である。
【図６】図３に示す回転操作部材ユニットを回転操作した際の回転検出手法を説明するための図である。
【図７】図３に示す回転操作部材ユニットをカメラの正面側から見て時計周りに回転操作した際の２つのフォトリフレクタから出力される信号波形を示す図である。
【図８】図３に示す回転操作部材に対するシートの固定を説明するための図である。
【図９】本発明の第２の実施形態に係る回転操作装置を備えるカメラにおいて回転操作部材に対するシートの固定を説明するための図である。
【図１０】本発明の第３の実施形態に係る回転操作装置を備えるカメラにおいて回転操作部材およびシートを説明するための図である（その１）。
【図１１】本発明の第３の実施形態に係る回転操作装置を備えるカメラにおいて回転操作部材およびシートを説明するための図である（その２）。
【発明を実施するための形態】
【００１０】
以下に、本発明の実施の形態による回転操作装置の一例について図面を参照して説明する。
【００１１】
［第１の実施形態］
図１は、本発明の第１の実施形態による回転操作装置が用いられる電子機器の外観を示す斜視図である。なお、以下の説明では、電子機器の１つであるデジタルカメラ（以下単にカメラと呼ぶ）などの撮像装置を例に挙げて説明する。
【００１２】
カメラの上面には電源ボタン１０１が配置されており、電源ボタン１０１の操作によってカメラの電源がＯＮ又はＯＦＦされる。レリーズボタン１０２は、撮影準備および撮影開始を指示するためのボタンである。ズームレバー１０３はレリーズボタン１０２の中心の回りに所定の角度まで回転可能である。ズームレバー１０３は光学式変倍又はデジタル式変倍において、その倍率を調節する際に用いられる。
【００１３】
モードダイヤル１０４は、撮影モードを切り替える際に用いられる。露出補正ダイヤル１０５は撮影画像の明るさに係る補正量を設定する際に用いられる。保護窓１０６はＡＦ補助光ＬＥＤを保護するための窓である。ストラップ取り付け部１０８および１０９には、ストラップ紐が挿通されて取り付けられる。図示のカメラには閃光発光装置２０が備えられるとともに、カメラの前面には沈胴式鏡筒レンズ５０が配置されている。
【００１４】
解除レバー１０７を下方向に移動させると、閃光発光装置２０において閃光部がポップアップして閃光可能状態になる。図１に示す状態においては、閃光発光装置２０は収納されている。沈胴式鏡筒レンズ５０の外周側には、各種パラメータの設定値を変更する際に操作される回転操作部材を備える回転操作部材ユニット（回転操作装置）３５が配置されている。
【００１５】
図２は、図１に示すカメラを分解して示す斜視図である。なお、図２において、図１に示す構成要素と同一の構成要素については同一の参照番号を付す。
【００１６】
カメラはトップカバーユニット１０、右側面カバー２１、左側面カバー２２、およびフロントカバーユニット３０、およびリアカバーユニット４１を備えている。そして、トップカバーユニット１０、右側面カバー２１、左側面カバー２２、フロントカバーユニット３０、リアカバーユニット４１によってカメラ筐体が規定される。
【００１７】
フロントカバーユニット３０には回転操作部材ユニット３５が備えられている。そして、沈胴式鏡筒レンズ５０は金属シャーシ４０に保持されている。リアカバーユニット４１には、背面操作ボタン（図示せず）が備えられており、さらに、液晶表示部ユニット４２が保持される。
【００１８】
図３は、図２に示すフロントカバーユニットおよび回転操作部材ユニットを説明するための斜視図である。そして、図３（Ａ）はフロントカバーユニットを分解して示す斜視図であり、図３（Ｂ）は回転操作部材ユニットに備えられた回転操作部材および環状部材を分解して示す斜視図である。
【００１９】
フロントカバーユニット３０は、フロントカバー３０１を有しており、フロントカバー３０１はポリカーボネートを金型によって成形して得られる。正面側の外観部品である先端固定部材３１０は、フロントカバー３０１に備えられた筒部３０１ａの先端に３本のネジ３１１で固定されている。根元固定部品３１２は筒部３０１ａの根元まで挿入されて接着固定されている。
【００２０】
回転操作部材ユニット３５は、回転操作部材３５１、シート（反射部材）３５２、および環状部材３５３を有しており、これら３つの部品は一体で回転する。シート３５２には、その片面に粘着剤が塗布され、シート３５２は回転操作部材３５１の内周面３５１ａに貼り付けられている。シート３５２の貼り付け手法については後述する。
【００２１】
環状部材３５３に備えられた筒状嵌合部３５３ａは、回転操作部材３５１の内径嵌合部３５１ｂと径方向において嵌合する。環状部材３５３に備えられた嵌合リブ３５３ｂは、回転操作部材３５１に形成された２つの嵌合リブ３５１ｃとの間に嵌合し、これによって、回転位相が決定される。
【００２２】
上記の２つの嵌合によって、回転操作部材３５１と環状部材３５３とは一体で回転する。なお、回転操作部材３５１と環状部材３５３との間においては、後述するように接着などの固定は行われない。
【００２３】
根元固定部品３１２を固定した後、回転操作部材ユニット３５はフロントカバー３０１に備えられた筒部３０１ａに挿入され、後から固定される先端固定部材３１０と根元固定部品３１２とによって回転可能に挟持される。
【００２４】
回転操作部材ユニット３５は、製品の品位を向上させるため、挟持された部材および保持された部材について、スラスト方向又はラジアル方向のガタツキを押えることが望ましい。一方、回転操作部材ユニット３５におけるスムーズな回転動作を実現するため、回転操作部材ユニット３５と先端固定部材３１０との間にスラスト方向に微小隙間を設定する必要がある。さらに、回転操作部材ユニット３５と筒部３０１ａとの間にラジアル方向における微小隙間を設定する必要がある。
【００２５】
これらの微小隙間の存在によって、回転操作部材ユニット３５には、不可避的に当該微小隙間分のスラスト方向およびラジアル方向のガタツキが生じる。これらのガタツキを抑制するため、第１の摺動シート３１３および第２の摺動シート３１４が備えられる。
【００２６】
第１の摺動シート３１３は、回転操作部材ユニット３５と先端固定部材３１０との間に挟持される。第１の摺動シート３１３は摩擦係数が低い部材とクッション性を有する部材を貼り合わせたものである。第１の摺動シート３１３によって、回転操作部材ユニット３５が回転する際の摺動性が良好になる。さらに、回転操作部材ユニット３５をスラスト方向に付勢することによって、先端固定部材３１０との微小隙間により生じるガタツキが抑制される。
【００２７】
３つの第２の摺動シート３１４は、回転操作部材ユニット３５の内周部に回転軸中心に対して１２０°毎に貼り付けられて配置される。これら第２の摺動シート３１４は、摩擦係数が低い部材とクッション性を有する部材と両面テープを貼り合わせたものである。
【００２８】
第２の摺動シート３１４によって、回転操作部材ユニット３５が回転する際の摺動性が良好になる。さらに、回転操作部材ユニット３５をラジアル方向に付勢することによって、筒部３０１ａとの微小隙間により生じるラジアル方向のガタツキが抑制される。
【００２９】
ここで、回転操作部材３５１および環状部材３５３の固定について説明する。
【００３０】
前述のように、回転操作部材ユニット３５は、先端固定部材３１０と根元固定部材３１２との間に挟持され、第１の摺動シート３１３による付勢によってスラスト方向のガタツキが抑制されている。回転操作部材３５１と環状部材３５３との間における２つの嵌合の量を、抑制されたスラスト方向のガタツキに対して十分に長く設定することによって、当該２つの嵌合が外れないようにする。これによって、回転操作部材３５１と環状部材３５３とを接着などによって固定する必要はない。
【００３１】
フレキシブル配線基板３２０には、フォトリフレクタ３２１および３２２が実装される。ファトリフレクタ３２１および３２２の各々は発光部および受光部を有し、発光部から投光された光を対象物に照射し、対象物で反射した光を受光部で受光することができるか否かに応じて対象物の有無を検知する。
【００３２】
保持部材３１５は基板３２０を保持しており、フロントカバー３０１にネジ３１６によって固定される。球形状部材３１７は所謂鋼球であり、その表面は滑らかに仕上げられている。付勢板ばね３１８は、ばね用薄板材料で成形されたプレス部品であり、ネジ３１９によってフロントカバー３０１に固定される。球形状部材３１７および付勢板ばね３１８は後述するクリック機構の一部となる。
【００３３】
図４は、図３に示す回転操作部材ユニットを示す斜視図である。図４においては、回転操作部材３５１、シート３５２、環状部材３５３、球形状部材３１７、およびフォトリフレクタ３２１および３２２の位置関係が示されている。ここでは、説明の便宜上、フロントカバー３０１などは省略されている。
【００３４】
フォトリフレクタ３２１および３２２は、回転操作部材３５１の内周面３５１ａに貼り付けられたシート３５２に対向する位置において外周側を向って配置される。シート３５２には、回転操作部材３５１の回転を検知するため、フォトリクレクタ３２１および３２２の反射光が検知可能なレベルに反射する領域（反射領域）と反射しない領域（非反射領域）とが交互に形成される。回転操作部材３５１の回転検知については後述する。
【００３５】
球形状部材３１７は、回転操作部材ユニット３５のスラスト方向において、環状部材３５３と一致する位置に配置され、環状部材３５３の内周面にラジアル方向で当接する。環状部材３５３には、複数の凹部３５３ｃおよび凸部３５３ｄが交互に形成されており、回転操作部材ユニット３５を回転操作した際にクリック感を発生させるクリック機構（クリック感発生部）の一部となる。
【００３６】
図５は、図３に示す回転操作部材ユニットを回転操作した際にクリック感を発生させるクリック機構を説明するための図である。そして、図５（Ａ）はフロントカバーユニットを背面側から示す図であり、図５（Ｂ）は図５（Ａ）に示すＤ−Ｄ線に沿った断面図である。
【００３７】
クリック機構は、回転操作部材３５１に固定された環状部材３５３、環状部材３５３に当接する球形状部材（当接部）３１７、そして、球形状部材３１７を環状部材３５３に当接させて付勢する付勢板ばね（付勢部）３１８を有している。球形状部材３１７が付勢板ばね３１８の付勢力によって図４に示す環状部材３５３の凹部３５３ｃに係合している状態から回転操作部材３５１を回転させる。これによって、球形状部材３１７は凹部３５３ｃから脱出して、図４に示す凸部３５３ｄ上を通過する。続けて、回転操作部材３５１を回転させると、球形状部材３１７は付勢板ばね３１８の付勢力によって次の凹部３５３ｃに係合する。
【００３８】
上記の動作は回転操作部材３５１を回転させる都度繰り返される。つまり、回転操作部材３５１の回転操作によって、球形状部材３１７が凹部３５３ｃと係合する状態と係合しない状態とが繰り返されることによってクリック感が発生する。
【００３９】
球形状部材３１７が環状部材３５３の凹部３５３ｃに係合すると、回転操作部材３５１は回転を停止した状態となる。この状態における回転操作部材ユニット３５の位置をクリック位置と呼ぶことにする。当該クリック位置の数は環状部材３５３に形成された凹部３５３ｃの数だけ存在する。
【００４０】
図６は、図３に示す回転操作部材ユニットを回転操作した際の回転検出手法を説明するための図である。なお、図６には、図４の部分断面が示されており、フォトリフレクタ３２１および３２２とシート３５２との位置関係が示されている。
【００４１】
図４に関連して説明したように、フレキシブル配線基板３２０に実装されたフォトリフレクタ３２１および３２２は、回転操作部材３５１の内周側に配置されて、外周側に向っている。
【００４２】
図６に示すように、シート３５２には、周方向にほぼ等間隔で互いに等しい幅ｗの反射領域Ｗと、ほぼ等間隔で互いにほぼ等しい幅ｂの非反射領域Ｂとが交互に形成されている。そして、幅ｗと幅ｂとは略等しい長さに設定される。
【００４３】
図示の例では、シート３５２は、反射領域Ｗを白色領域で示し、非反射領域Ｂを黒色領域で示す。また、反射領域Ｗはシート３５２の材料色とする。さらに、シート３５２に規定された反射領域Ｗに印刷を施して非反射領域Ｂとする。反射領域Ｗは第１の反射率を有する第１の領域の一例であり、非反射領域Ｂは第１の反射率より反射率の低い第２の反射率を有する第２の領域の一例である。
【００４４】
反射領域Ｗは、フォトリフレクタ３２１および３２２の発光部から投光された光を、フォトリフレクタ３２１および３２２の受光部で検知可能なレベルに反射させる。一方、非反射領域Ｂは、フォトリフレクタ３２１および３２２の発光部から投光された光を、フォトリフレクタ３２１および３２２の受光部で検知可能なレベルには反射させることができない。これによって、回転操作部材３５１の回転に伴って、フォトリフレクタ３２１および３２２の受光部において受光状態および非受光状態が交互に生じる。
【００４５】
フォトリフレクタ３２１および３２２から信号処理回路（制御部：図示せず）によって検知出力（波形信号：検知結果）が送られる。そして、制御部は当該検知結果、つまり、回転操作装置に備えられた回転操作部材の回転操作に応じて各種の設定値を設定する。
【００４６】
図６に示すように、例えば、フォトリフレクタ３２１が反射領域Ｗの左端近傍に配置された場合に、フォトリフレクタ３２２は反射領域Ｗの右端近傍となるように配置される。当該配置ピッチによって、フォトリフレクタ３２１および３２２から出力される信号波形の位相差を最大化することができる。なお、回転方向の検出には信号波形の位相差が必要である。
【００４７】
位相差の存在によって、回転操作部材ユニット３５の回転方向に応じてフォトリフレクタ３２２が受光した際に、フォトリフレクタ３２１が受光しているか否かの差異が生じる。この差異に応じて、信号処理回路は回転操作部材ユニット３５がいずれの方向に回転しているかを判別することができる。
【００４８】
図７は、図３に示す回転操作部材ユニットをカメラの正面側から見て時計周りに回転操作した際の２つのフォトリフレクタから出力される信号波形を示す図である。
【００４９】
図７において、ハイレベル（Ｈレベル）の範囲はフォトリフレクタが受光状態であることを示す。一方、ローレベル（Ｌレベル）の範囲はフォトリフレクタが非受光状態であることを示す。
【００５０】
フォトリフレクタ３２１および３２２から出力される信号波形は、ほぼ半位相分の位相差がある。なお、フォトリフレクタ３２１および３２２の検出出力は、ＨレベルおよびＬレベルの二値ではなく実際には連続値であるが、ここでは、予め設定された閾値を超えた場合にはＨレベルとし、閾値以下である場合にはＬレベルとする。
【００５１】
図示の例では、回転操作部材ユニット３５を回転操作して、フォトリフレクタ３２１（検知手段）が受光状態に戻った際に、フォトリフレクタ３２２（第２の検知手段）が受光状態でなければ時計回りの回転となる。一方、フォトリフレクタ３２２が受光状態であれば反時計周りの回転となる。
【００５２】
フォトリフレクタ３２１および３２２の信号波形に位相差がない場合には、回転操作部材ユニット３５をいずれの方向に回転してもフォトリフレクタ３２１および３２２の信号波形は同一となる。従って、回転操作部材ユニット３５の回転方向を検知することができない。さらに、フォトリフレクタ３２１および３２２の信号波形において位相差が少ない場合には、位相差の有無にばらつきが生じて回転方向を誤検知することがある。
【００５３】
回転操作部材ユニット３５の回転量については回転方向に拘わらず、信号処理回路はフォトリフレクタ３２１の信号波形がＬレベルからＨレベルになった際に１ピッチ分回転したと判別する。前述のように、回転操作部材ユニット３５の内周には反射領域Ｗと非反射領域Ｂとが交互に同一のピッチで全周にわたって形成されている。これによって、回転操作部材ユニット３５を１ピッチ回転させる毎にその回転を検出することができる。
【００５４】
ここでは、クリック停止位置におけるフォトリフレクタ３２１および３２２とシート３５２との配置関係は図７に示す関係となる。つまり、回転操作部材ユニット３５がクリック停止位置にあって回転を停止している際、フォトリフレクタ３２１および３２２とシート３５２との配置関係はフォトリフレクタ３２１および３２２の信号波形がともにＨレベルの範囲となる。
【００５５】
前述のように、クリック停止位置の数は環状部材３５３に形成された凹部３５３ｃの数だけ存在する。よって、回転操作部材ユニット３５がクリック停止位置に位置する都度、フォトリフレクタ３２１および３２２とシート３５２との配置関係は図７に示す関係と同一となる。
【００５６】
図８は、図３に示す回転操作部材に対するシートの固定を説明するための図である。そして、図８（Ａ）はシートの貼り付け前の状態を示す図であり、図８（Ｂ）は図８（Ａ）に示すＥ部を詳細に示す図である。また、図８（Ｃ）はシートを貼り付け後の状態を図であり、図８（Ｄ）はシートを貼り付け後の端部を回転操作部材の回転軸方向から拡大して示す図である。
【００５７】
まず、図８（Ａ）および図８（Ｂ）を参照して、シート３５２には、回転操作部材３５１の回転軸方向に凸形状部（係合部）３５２ｃが形成されている。回転操作部材３５１には、内周面３５１ａから回転軸方向に凹形状部（係止部）３５１ｄが形成されている。そして、凹形状部３５１ｄは、凸形状部３５２ｃと係合可能に形成されている。
【００５８】
凸形状部３５２ｃの周方向における端面３５２ｄと、回転操作部材３５１に形成された凹形状部３５１ｄの周方向における側面３５１ｅとを係合させつつ、シート３５２を回転操作部材３５１の内周面３５１ａに貼付固定する。つまり、シート３５２は、凸形状部３５２ｃが凹形状部３５１ｄに係合し、かつ反射領域Ｗと非反射領域Ｂとが内周面３５１ａの周方向に交互に並ぶように回転操作部材３５１に固定される。
【００５９】
シート３５２は、回転操作部材３５１の内周面３５１ａの周長さよりも若干長く、周方向において第１の端部３５２ａと当該第１の端部と反対側の端部である第２の端部３５２ｂとを有する。つまり、シート３５２の一端には第１の端部が規定され、他端には第２の端部が規定されている。
【００６０】
シート３５２の凸形状部３５２ｃは、第１の端部３５２ａの近傍に形成される。シート３５２を回転操作部材３５１に貼り付ける際には、凸形状部３５２ｃの周方向における端面３５２ｄと凹形状部３５１ｄの周方向における側面３５１ｄとを当接させて位置規制を行う。その後、回転操作部材３５１の内周面３５１ａに沿って、第１の端部３５２ａから第２の端部３５２ｂに向かってシート３５２が貼り付けられる。
【００６１】
続いて、図８（Ｃ）および図８（Ｄ）を参照して、シート３５２の第１の端部３５２ａは非反射領域Ｂで構成され、他の非反射領域Ｂの幅ｂより若干幅が広い。シート３５２の貼り終わり端となる第２の端部３５２ｂは反射領域Ｗで構成され、シート３５２の長さが回転操作部材３５１の内周面３５１ａの周長さよりも長く設定されている分、第１の端部３５２ａに乗り上げるようにして貼り付けられる。
【００６２】
これによって、シート３５２の貼り付けバラツキに起因して第１の端部３５２ａと第２の端部３５２ｂとが離れて、反射領域Ｗおよび非反射領域Ｂではない回転操作部材３５１の内周面３５１ａが露出することを防止することができる。この結果、回転誤検知の発生を防ぐことができる。
【００６３】
さらに、フォトリフレクタと反射面（反射領域）とが近づくと、光の反射量が増加して、フォトリフレクタの出力が大きくなる。第２の端部３５２ｂはシート３５２の他の反射領域Ｗに比べて、第１の端部３５２ａに乗り上げる分、フォトリフレクタ３２１および３２２との距離が近づく。そして、距離が近づくと、フォトリフレクタの出力が大きくなるが、閾値を超えた際にさらに大きくなるだけなので、回転検知に対する影響はない。
【００６４】
例えば、第２の端部３５２ｂが非反射領域Ｂであると、フォトリフレクタの出力が大きくなって閾値に近づき、回転誤検知が発生する恐れがある。
【００６５】
このように、シート３５２および環状部材３５３は回転操作部材３５１に対して常に同一の位置関係となる。そして、シート３５２と環状部材３５３との位置関係が常に同一の関係となるので、クリック停止位置では、フォトリフレクタ３２１および３２２とシート３５２との配置関係は、図６に示す関係となる。
【００６６】
以上のように、本発明の第１の実施形態では、回転操作部材の表面処理を必要とせず、シートのみでフォトリフレクタから投光された光の反射面および非反射面を形成することができる。その結果、コストを抑えて、かつ誤検知の発生を防止して良好な操作性を得ることができる。
【００６７】
［第２の実施形態］
続いて、本発明の第２の実施形態に係る回転操作装置を備えるカメラについて説明する。なお、第２の実施形態によるカメラは図１〜図７に示すカメラと同一の構成を備えており、シート３５２の固定手法が第１の実施形態とは異なる。
【００６８】
図９は、本発明の第２の実施形態に係る回転操作装置を備えるカメラにおいて回転操作部材に対するシートの固定を説明するための図である。そして、図９（Ａ）はシートの貼り付け前の状態を示す図であり、図９（Ｂ）はシートを貼り付け後の状態を図である。図９（Ｃ）は回転操作部材を回転軸方向から部分的に拡大して示す図であり、図９（Ｄ）はシートを貼り付け後の端部を回転操作部材の回転軸方向から拡大して示す図である。なお、図９においては、回転操作部材を参照番号６５１で示す。
【００６９】
回転操作部材６５１には、内周面６５１ａから回転軸方向に凹形状部６５１ｄが形成されている。凹形状部６５１ｄは、凸形状部３５２ｃと係合可能に形成されている。凸形状部３５２ｃの周方向における端面３５２ｄと回転操作部材６５１に形成された凹形状部６５１ｄの周方向における側面６５１ｅとを係合させつつ、シート３５２を回転操作部材６５１の内周面６５１ａに貼付固定する。
【００７０】
回転操作部材６５１の内周面６５１ａには、シート３５２の貼り付けの際に第１の端部３５２ａが配置される部分（箇所）に凹部６５１ｆが形成されている。図９（Ｃ）に示すように、凹部６５１ｆは、内周面６５１ａに対してシート３５２の厚さｔに相当する分だけ凹んでおり、斜面部６５１ｇによって内周面６５１ａと滑らかに接続されている。つまり、凹部６５１ｆの内壁はテーパ状となっている。
【００７１】
この凹部６５１ｆによって、第１の端部３５２ａに乗り上げる第２の端部３５２ｂとフォトリフレクタ３２１および３２２との距離が他の反射領域Ｗと同一となり、フォトリフレクタの出力を同一とすることができる。
【００７２】
一方、第１の端部３５２ａとフォトリフレクタ３２１および３２２との距離は、凹部６５１ｆによって他の非反射領域Ｂよりも大きくなって、フォトリフレクタの出力は小さくなる。ところが、フォトリフレクタの出力は閾値を超えていない場合にさらに小さくなるので、回転検知に対する影響はない。
【００７３】
このように、本発明の第２の実施形態においても、回転操作部材の表面処理を必要とせず、シートのみでフォトリフレクタから投光された光の反射面および非反射面を形成することができる。その結果、コストを抑えて、かつ誤検知の発生を防止して良好な操作性を得ることができる。
【００７４】
［第３の実施形態］
次に、本発明の第３の実施形態に係る回転操作装置を備えるカメラについて説明する。なお、第２の実施形態によるカメラは図１〜図８に示すカメラと同一の構成を備えているが、回転操作部材およびシートが第１の実施形態とは異なる。なお、第３の実施形態では回転操作部材を参照番号７００で示し、シートを参照番号７５０で示す。
【００７５】
図１０および図１１は、本発明の第３の実施形態に係る回転操作装置を備えるカメラにおいて回転操作部材およびシートを説明するための図である。そして、図１０（Ａ）は回転操作部材の内周面にシートを組み付ける前の状態を示す斜視図であり、図１０（Ｂ）は回転操作部材にシートを組み付ける側からシートの組み付け途中の状態を示す図である。また、図１１（Ａ）はシートを回転操作部材に組み付けた後の状態を示す図であり、図１１（Ｂ）は図１１（Ａ）に示すＦ−Ｆ線に沿った断面を示す図である。
【００７６】
シート７５０は、その一部が切り欠かれた略円筒形状を有しており、弾性変形可能な薄板状、例えば、ステンレスなどの金属で成形されている。特に、弾性変形可能であれば金属以外の材質で構成されていてもよい。
【００７７】
シート３５２と同様に、シート７５０の内周面には第１の反射率を有する第１の領域（反射領域）と第１の反射率より反射率の低い第２の反射率を有する第２の領域（非新車領域）とが交互に略等間隔に形成されている。なお、前述のように、第１の領域および第２の領域は印刷又は塗装、その他の手法によって形成するようにすればよい。
【００７８】
図１０（Ａ）を参照すると、回転操作部材７００の内周面７００ａに隣接して、第１の凸形状（第１の凸形状体）７００ｂおよび第２の凸形状（第２の凸形状体）７００ｃが内周面７００ａよりも小さい直径寸法となるように設けられている。
【００７９】
シート７５０には、回転操作部材７００の回転軸方向に凸形状部７５０ａが形成されている。また、回転操作部材７００には、内周面７００ａから回転軸方向に凹形状部７００ｄが形成されている。凹形状部７００ｄは凸形状部７５０ａと係合可能に形成されている。
【００８０】
図１０（Ｂ）に示すように、シート７５０を内周側に弾性変形させつつ、つまり、径方向に第２の凸形状７００ｃよりも小さくしつつ、回転操作部材７００の第２の凸形状７００ｃを乗り越えて内周面７００ａに移動させる。第２の凸形状７００ｃには、面取り形状７００ｆが設けられており、これによって、シート７５０を回転操作部材７００の内周面７００ａに挿入することが容易となる。さらに、第２の凸形状７００ｃは円周上に３ヶ所、略均等の角度を有するように配置されている。
【００８１】
シート７５０を回転操作部材７００に挿入しつつ、凸形状部７５０ａを回転操作部材７００に形成された凹形状部７００ｄに差し込み係合させる。これによって、シート７５０について、回転操作部材７００に対する周方向の位置を決定することができる。その後、シート７５０を回転操作部材７００の第１の凸形状７００ｂに突き当てた状態において内周面７００ａ上で弾性変形を解除する。
【００８２】
シート７５０の弾性変形前の直径寸法は回転操作部材７００の内周面７００ａの直径寸法より大きい。このため、その復帰力によって回転操作部材７００の内周面７００ａに沿うようにシート７５０が保持される。また、第１の凸形状７００ｂおよび第２の凸形状７００ｃは内周面７００ａの直径寸法よりもその直径寸法が小さいので、シート７５０は容易に外れない。
【００８３】
シート７５０は、回転操作部材７００の内周面７００ａの長さよりも若干長く、周方向において第１の端部７５０ｂと当該第１の端部と反対側の端部である第２の端部７５０ｃとを有している。シート７５０において凸形状部７５０ａは、第１の端部７５０ｂの近傍に形成され、第１の端部７５０ｂはシート３７０と同様に非反射領域で構成されて他の非反射領域の幅より若干幅が長い。第２の端部７５０ｃは反射領域で構成されている。
【００８４】
シート７５０を回転操作部材７００に組み込む際、図１０（Ｂ）に示すように、第１の端部７５０ｂの内周面側に第２の端部７５０ｃが位置するようにシート７５０を弾性変形させる。その後、シート７５０の復帰力により、回転操作部材７００の内周面にシート７５０が保持された状態になると、第１の端部７５０ｂの内周面側に第２の端部７５０ｃが乗り上げた状態となって保持される。
【００８５】
これによって、シート７５０の長さのバラツキに起因して第１の端部７５０ｂと第２の端部７５０ｃとが離れて、反射領域および非反射領域ではない回転操作部材７００の内周面７００ａが露出して回転検知の不能を防止することができる。
【００８６】
このように、本発明の第３の実施形態においても、コストを抑えて、かつ誤検知の発生を防止して良好な操作性を得ることができる。
【００８７】
以上、本発明の好ましい実施形態について説明したが、本発明はこれらの実施形態に限定されず、その要旨の範囲内で種々の変形及び変更が可能である。
【符号の説明】
【００８８】
３０１  フロントカバー
３１７  球形状部材
３１８  付勢板ばね
３２１，３２２  フォトリフレクタ
３５１  回転操作部材
３５２  シート
３５３  環状部材
【図１】
2020113402.tif 000003
【図２】
2020113402.tif 000004
【図３】
2020113402.tif 000005
【図４】
2020113402.tif 000006
【図５】
2020113402.tif 000007
【図６】
2020113402.tif 000008
【図７】
2020113402.tif 000009
【図８】
2020113402.tif 000010
【図９】
2020113402.tif 000011
【図１０】
2020113402.tif 000012
【図１１】
2020113402.tif 000013